(57)【要約】【課題】簡単な構造で頭部管とコルク栓およびコルク栓とワッシャの密着力を増大させ、コルク栓およびワッシャの緩みを確実に防止するようにした木管楽器を提供する。【解決手段】頭部管１の胴部管側とは反対側の開口部１ａと歌口２との間の内部空間に、コルク栓６、反射板９およびコルク押圧用ワッシャ１０を備えたスクリュー軸８を挿入し、前記ワッシャ１０によって前記コルク栓６を前記頭部管１の内周面と前記反射板９に押し付ける。前記ワッシャ１０のコルク押圧面１１を、先端に向かうにしたがって漸次小径化する円錐形の凸面に形成し、コルク栓６の一端面６ａに食い込ませる。これによりコルク栓６を中心より外側に向かって斜めに押圧し、頭部管１の内周面に強く押し付ける。【選択図】        図１
2004348023.tif 000002
【特許請求の範囲】
【請求項１】
頭部管の胴部管側とは反対側の開口部と歌口との間の内部空間に、コルク栓、反射板およびコルク押圧用ワッシャを備えたスクリュー軸を挿入し、前記ワッシャによって前記コルク栓を前記頭部管の内周面と前記反射板に押し付け、前記開口部に嵌着したヘッドキャップによって前記スクリュー軸を進退させるようにした木管楽器において、
前記ワッシャもしくは反射板のコルク押圧面を先端に向かうにしたがって漸次小径化する凸面に形成したことを特徴とする木管楽器。
【請求項２】
請求項１記載の木管楽器において、
前記コルク押圧面を円錐状または半球状の凸面に形成したことを特徴とする木管楽器。
【発明の詳細な説明】
【０００１】
【発明の属する技術分野】
本発明は、フルート、ピッコロ等の木管楽器に関し、さらに詳しくはコルク栓を押圧するワッシャの面形状を改良した木管楽器に関する。
【０００２】
【従来の技術】
リードを備えないフルートは、頭部管の内部に反射板とコルク栓をスクリュー軸によって組み込み、前記スクリュー軸をヘッドキャップによって回転させて反射板を頭部管の軸線方向に移動調整することにより、ピッチ（音高）を調節する構造を採っている。コルク栓は、スクリュー軸に取付けたワッシャによって押圧されることにより外径が増大して頭部管の内周面に圧接され、これにより頭部管とコルク栓との間の気密性を確保し、頭部管からの息漏れを防止するようにしている（例えば、特許文献１，２参照）。
【０００３】
【特許文献１】
特開平１０−１２４０４２号公報
【特許文献２】
特開２００３−００５７４２号公報
【０００４】
しかしながら、コルク栓は乾燥すると収縮して頭部管との間に隙間が生じ、息漏れが発生するため、このような問題を解決するためのシール構造として、例えば頭部管とヘッドキャップとの隙間をＯリングによって気密に封止したフルートも知られている（例えば、特許文献３参照）。なお、出願人は本明細書に記載した先行技術文献情報で特定される先行技術文献以外には、本発明に密接に関連する先行技術文献を出願時までに見つけ出すことはできなかった。
【０００５】
【特許文献３】
特開２０００−８９７５２号公報
【０００６】
図５は上記した特開２０００−８９７５２号公報に記載された従来のフルートの管本体を構成する頭部管のキャップ側端部の断面図である。これを概略説明すると、符号１はフルートの頭部管を示し、この頭部管１は両端開放の円筒管からなり、図示しない胴部管側（図において右側）とは反対側の開口部１ａ寄りの上面に取付けられた歌口２を有するリッププレート３と、前記開口部１ａを覆うヘッドキャップ５と、前記歌口２と前記開口部１ａとの間の内部空間に組み込まれたコルク栓６、スクリュー軸８、反射板９およびコルク押圧用ワッシャ１０等を備えている。前記歌口２は、頭部管１の開口部１ａから頭部管１の全長の略１／３の位置に形成されている。前記ヘッドキャップ５は、前記開口部１ａにＯリング１４を介して回転可能に嵌合しており、前記スクリュー軸８の一端部が螺合によって連結されている。
【０００７】
前記コルク栓６は円筒状に形成されて前記スクリュー軸８に嵌着されており、前記コルク押圧用ワッシャ１０の締め込み操作によって軸線方向に圧縮されると外径が増大して外周面が頭部管１の内周面に密着し、これによって前記頭部管１とコルク栓６との間の気密性を確保し、前記Ｏリング１４とともに前記開口部１ａからの息漏れを防止している。
【０００８】
前記反射板９は、頭部管１内で発生した音波を反射する反射板として機能するもので、前記スクリュー軸８の先端にロー付けによって固定されており、フルートのピッチ調整時に前記ヘッドキャップ５の回転によってスクリュー軸８と一体に進退する。したがって、この反射板９を進退移動させて歌口２の中心から反射板９までの距離を短くすると、高音が高くなり、低音が低くなる。一方、これとは逆に距離を長くすると、高音が低くなり、低音が高くなる。
【０００９】
前記コルク押圧用ワッシャ１０は、外径が頭部管１の内径より若干小さい円板状のワッシャ本体１０Ａと、このワッシャ本体１０Ａの一方の面の中央に一体に突設された六角形または四角形の回転操作部１０Ｂとからなり、他端面が前記コルク栓６の一端面６ａを押圧するコルク押圧面１１を形成し、中心に前記スクリュー軸８の雄ねじ部に螺合するねじ孔が形成されている。
【００１０】
【発明が解決しようとする課題】
しかしながら、コルク栓６は湿度の変化によって膨張したり収縮するため、乾燥して収縮すると頭部管１との間に隙間が生じて気密性が低下するという問題があった。この場合、単純にワッシャ１０の締付け力を大きくしてコルク栓６と頭部管１との密着力を増大させると、隙間の発生は防止することはできるが、そうすると反射板９に対して大きな押圧力が加わるため、反射板９をスクリュー軸１に接合しているロー付け部分１５が強度的に弱く剥離するおそれがあるため好ましくない。
また、頭部管１の振動、コルク栓６の収縮等によってコルク押圧用ワッシャ１０が緩むため、演奏時にワッシャ１０が遊動すると、ノイズが発生して演奏音に影響を及ぼすという問題もあった。
【００１１】
そこで、本発明者はワッシャ１０の形状について着目し各種の実験を行った結果、従来のワッシャ１０はコルク押圧面１１を頭部管１の軸線に対して直交する平坦面に形成しているため、頭部管１にコルク栓６を密着させる力が弱く、大きな密着力を得ようとするとワッシャ１０をより強い力で締め込んでコルク栓６に押し付ける必要があったのに対し、コイル押圧面１１を円錐状、半球状等の凸面に形成すれば、頭部管１とコルク栓６との密着力が増大し、ワッシャ１０の緩みを防止することができることを見出した。これは、コルク押圧面が凸面であると、ワッシャ１０の締付け力が平坦な面である場合と同じであっても、コルク押圧面に対して直交する方向の分力が発生してコルク栓６の端面を中心から外側に向かって斜めに押圧するため、コルク栓６を頭部管１の内周面により強い力で押し付けて密着力を増大させ、またその反力がワッシャのコルク押圧面を抱持するように作用することによるものと思われる。
【００１２】
本発明は上記した従来の問題および実験結果に基づいてなされたもので、その目的とするところは、簡単な構造で頭部管とコルク栓およびコルク栓とワッシャとの密着力をそれぞれ増大させ、コルク栓およびワッシャの緩みを確実に防止し得るようにした木管楽器を提供することにある。
【００１３】
【課題を解決するための手段】
上記目的を達成するために第１の発明は、頭部管の胴部管側とは反対側の開口部と歌口との間の内部空間に、コルク栓、反射板およびコルク押圧用ワッシャを備えたスクリュー軸を挿入し、前記ワッシャによって前記コルク栓を前記頭部管の内周面と前記反射板に押し付け、前記開口部に嵌着したヘッドキャップによって前記スクリュー軸を進退させるようにした木管楽器において、前記ワッシャもしくは反射板のコルク押圧面を先端に向かうにしたがって漸次小径化する凸面に形成したものである。
【００１４】
このような構造においては、コルク押圧面がコルク栓を中心から外側に向かって斜めに押圧するため、頭部管とコルク栓との密着力が増大し、ワッシャの緩みを防止する。
【００１５】
第２の発明は、上記第１の発明において、前記コルク押圧面を円錐状または半球状の凸面に形成したものである。
【００１６】
このような構造においては、コルク押圧面の形成が容易である。
【００１７】
【発明の実施の形態】
以下、本発明を図面に示す実施の形態に基づいて詳細に説明する。
図１は本発明をフルートに適用した一実施の形態を示す頭部管の要部の断面図、図２はコルク押圧用ワッシャを締め付けるときの様子を説明するための図である。なお、従来技術の欄において示した構成部材等と同一のものについては同一符号をもって示し、その説明を適宜省略する。これらの図において、頭部管１の一端開口部１ａと歌口２との間の内部空間には、コルク栓６、反射板９およびコルク押圧用ワッシャ１０を備えたスクリュー軸８が挿入されており、このスクリュー軸８の基端側に形成した雄ねじ部８Ａが前記頭部管１の開口部１ａに回転可能に嵌着したヘッドキャップ５のねじ孔２０に螺合している。したがって、ヘッドキャップ５を手で回転させることにより、スクリュー軸８を頭部管１の軸線方向に進退移動させ、歌口２から反射板９までの距離を調整することができる。
【００１８】
前記コルク栓６は、両端面が平坦な筒状体に形成されており、スクリュー軸８に嵌着されて頭部管１内に挿入された後、コルク押圧用ワッシャ１０の締付け操作によって頭部管１の内周面および反射板９に押し付けられる。コルク押圧用ワッシャ１０のコルク押圧面２１は、先端に向かって径が漸次減少する円錐状の凸面に形成されている。このため、コルク押圧用ワッシャ１０を締め付けていくと、凸面からなるコルク押圧面２１は、コルク栓６の一端面６ａに徐々に食い込み当該端面６ａを円錐形に変形させる。また、コルク押圧用ワッシャ１０を締め付けてコルク押圧面２１を一端面６ａに徐々に押し付けていくと、図２に示すようにコルク押圧面２１と直交する方向の力Ｆが一端面６ａに作用する。そして、この力Ｆは一端面６ａを中心から外側に向かって斜めに押圧するため、コルク栓６のワッシャ側端部の外周を頭部管１の内周面に強く押し付け、頭部管１とコルク栓６との密着力を増大させる。また、コルク栓６の一端面６ａはその反力によってコルク押圧面２１を抱持するように作用し、ワッシャ１０との密着力を増大させる。なお、ワッシャ１０の締付け作業が終了した後、ヘッドキャップ５を頭部管１の開口部１ａに嵌着してスクリュー軸８をねじ孔２０に螺合させることにより、ヘッドキャップ５および反射板９の取付け作業を終了する。
【００１９】
このように、本発明においてはコルク押圧用ワッシャ１０のコルク押圧面２１を先端に向かって細くなる円錐状の凸面に形成してコルク栓６の一端面６ａに食い込ませるようにしたことにより、ワッシャ１０の締付け力は図４に示した従来のワッシャを用いた場合と同じであっても、コルク栓６を頭部管１の内周面に対してより強く押し付けて密着させることができる、したがって、コルク栓６が収縮したとしても頭部管１との間に隙間が生じることがなく、コルク栓６の緩みを防止することができる。また、コルク栓６とワッシャ１０との密着力も増大するため、ワッシャ１０の緩みをも防止することができる。
【００２０】
図３はコルク押圧用ワッシャの他の実施の形態を示す図である。
この実施の形態は、コルク押圧用ワッシャ３０のコルク押圧面３１を半球状の凸面に形成した例を示す。
このような構造からなるワッシャ３０においても上記した実施の形態と同様な効果が得られることは明らかであろう。
【００２１】
図４は本発明のさらに他の実施の形態を示す図である。
この実施の形態は、反射板９のコルク栓６を押圧するコルク押圧面３３を先端に向かって径が漸次減少する円錐状の凸面に形成したものである。ワッシャ１０のワッシャ押圧面１１は、図５に示した従来のワッシャと同様に平板に形成されている。
このような構造からなる反射板９においても上記した実施の形態と同様な効果が得られることは明らかであろう。
【００２２】
なお、上記した実施の形態は、ワッシャ１０，３０のコルク押圧面２１，３１を先端に向かうにしたがって外径が連続的に減少する凸面に形成した例を示したが、これに限らず不連続に段階的に減少するものであってもよい。
【００２３】
また、上記した実施の形態は、フルートに適用した例を示したが、本発明はこれに限らずピッコロ、アルトフルート等、同様の構造をもつ木管楽器にもそのまま適用することができる。
【００２４】
【発明の効果】
以上説明したように、本発明に係る木管楽器によれば、コルク栓と頭部管との密着力およびコルク栓とコルク押圧用ワッシャもしくは反射板との密着力を増大させることができるため、コルク栓およびワッシャの緩みを防止することができる。したがって、頭部管とコルク栓との間に息漏れの原因となる隙間が生じることがない。また、ワッシャが振動によって遊動したりすることもなく、良好な発音特性と音質を得ることができ、楽器の性能を向上させることができる。さらに、構造が簡単で、ワッシャまたは反射板を交換するだけでよいので、在来の製品であっても簡単に改造することができる。
【図面の簡単な説明】
【図１】本発明をフルートに適用した一実施の形態を示す頭部管の要部の断面図である。
【図２】コルク押圧用ワッシャを締め付けるときの様子を説明するための図である。
【図３】コルク押圧用ワッシャの他の実施の形態を示す図である。
【図４】本発明のさらに他の実施の形態を示す図である。
【図５】従来のフルートの頭部管の断面図である。
【符号の説明】
１…頭部管、１ａ…開口部、２…歌口、３…リッププレート、５…ヘッドキャップ、６…コルク栓、８…スクリュー軸、９…反射板、１０…コルク押圧用ワッシャ、１１…コルク押圧面、２１…コルク押圧面、３０…コルク押圧用ワッシャ、３１，３３…コルク押圧面。
【図１】
2004348023.tif 000003
【図２】
2004348023.tif 000004
【図３】
2004348023.tif 000005
【図４】
2004348023.tif 000006
【図５】
2004348023.tif 000007